(57)【要約】【課題】ファクシミリメッセージのフレームにできるだけ誤りが生じないように通信回線の品質に応じて送信プロフィールを変更することができる新たな通信制御方法およびファクシミリ装置を提供する。【解決手段】  受信ファクシミリメッセージに誤りフレームが検出されるか否かに従って再トレーニング要求を動作させるか否かを判定し、再トレーニング要求が動作中であれば、再送されたフレームの誤りの有無に関係なく、送信プロフィールの変更を示すＣＴＣ信号を受信するまでＰＰＲ信号を送信側へ返信する（Ｓ１２、Ｓ１４、Ｓ１６、Ｓ１８）。【選択図】図２
2012205208.tif 000002
【特許請求の範囲】
【請求項１】
予め規定された誤り訂正モードで動作するファクシミリ装置であって、
受信ファクシミリメッセージに誤りフレームが検出されるか否かに従って再トレーニング要求を動作させるか否かを判定する判定手段と、
前記再トレーニング要求が動作中であれば、再送されたフレームの誤りの有無に関係なく、送信プロフィールの変更を示す訂正続行（ＣＴＣ）信号を受信するまで部分ページ要求（ＰＰＲ）信号を送信側へ返信する通信制御手段と、
を有することを特徴とするファクシミリ装置。
【請求項２】
前記通信制御手段は、前記ＰＰＲ信号を予め規定された回数返信することで、前記送信側から前記ＣＴＣ信号を受信し、当該ＣＴＣ信号により指定された送信プロフィールに従って前記送信側からファクシミリメッセージを受信する、ことを特徴とする請求項１に記載のファクシミリ装置。
【請求項３】
前記判定手段は、受信ファクシミリメッセージに１つでも誤りフレームが検出されれば、前記再トレーニング要求を動作させることを特徴とする請求項１または２に記載のファクシミリ装置。
【請求項４】
前記判定手段は、受信ファクシミリメッセージに誤りフレームが検出され、かつ、現在のフレーム誤り率がユーザ設定可能な誤り率以上であれば、前記再トレーニング要求を動作させることを特徴とする請求項１−３のいずれか１項に記載のファクシミリ装置。
【請求項５】
予め規定された誤り訂正モードで動作するファクシミリ装置における通信制御方法であって、
判定手段が受信ファクシミリメッセージに誤りフレームが検出されるか否かに従って再トレーニング要求を動作させるか否かを判定し、
通信制御手段が、前記再トレーニング要求が動作中であれば、再送されたフレームの誤りの有無に関係なく、送信プロフィールの変更を示す訂正続行（ＣＴＣ）信号を受信するまで部分ページ要求（ＰＰＲ）信号を送信側へ返信する、
ことを特徴とする通信制御方法。
【請求項６】
前記通信制御手段は、前記ＰＰＲ信号を予め規定された回数返信することで、前記送信側から前記ＣＴＣ信号を受信し、当該ＣＴＣ信号により指定された送信プロフィールに従って前記送信側からファクシミリメッセージを受信する、ことを特徴とする請求項５に記載の通信制御方法。
【請求項７】
前記判定手段は、受信ファクシミリメッセージに１つでも誤りフレームが検出されれば、前記再トレーニング要求を動作させることを特徴とする請求項５または６に記載の通信制御方法。
【請求項８】
前記判定手段は、受信ファクシミリメッセージに誤りフレームが検出され、かつ、現在のフレーム誤り率がユーザ設定可能な誤り率以上であれば、前記再トレーニング要求を動作させることを特徴とする請求項５−７のいずれか１項に記載の通信制御方法。
【請求項９】
予め規定された誤り訂正モードで動作するファクシミリ装置におけるプログラム制御プロセッサを機能させるプログラムであって、
判定手段が受信ファクシミリメッセージに誤りフレームが検出されるか否かに従って再トレーニング要求を動作させるか否かを判定し、
通信制御手段が、前記再トレーニング要求が動作中であれば、再送されたフレームの誤りの有無に関係なく、送信プロフィールの変更を示す訂正続行（ＣＴＣ）信号を受信するまで部分ページ要求（ＰＰＲ）信号を送信側へ返信する、
ように前記プログラム制御プロセッサを機能させることを特徴とするプログラム。
【請求項１０】
予め規定された誤り訂正モードで動作するファクシミリ通信システムであって、
送信側ファクシミリ装置がファクシミリメッセージを受信側ファクシミリ装置へ送信し、
前記受信側ファクシミリ装置が受信ファクシミリメッセージに誤りフレームが検出されるか否かに従って再トレーニング要求を動作させるか否かを判定し、
前記再トレーニング要求が動作中であれば、前記送信側ファクシミリ装置から再送されたフレームの誤りの有無に関係なく、前記送信側ファクシミリ装置から送信プロフィールの変更を示す訂正続行（ＣＴＣ）信号を受信するまで部分ページ要求（ＰＰＲ）信号を前記送信側ファクシミリ装置へ返信する、
を有することを特徴とするファクシミリ通信システム。
【発明の詳細な説明】
【技術分野】
【０００１】
本発明はファクシミリ装置に係り、特に受信フレームに誤りを検出した時に受信側がフレームの再送を要求することができるファクシミリ装置およびその通信制御方法に関する。
【背景技術】
【０００２】
まず、ＩＴＵ−Ｔ勧告Ｔ．３０の誤り訂正方式(Error Correction Mode:ＥＣＭ)について簡単に説明する。
【０００３】
図１に示すように、送信側ファクシミリ装置（以下、「送信機」と略記する。）から受信側ファクシミリ装置（以下、「受信機」と略記する。）へファクシミリメッセージが送信される（ステップＳ１）。受信機は、受信ファクシミリメッセージのフレームから誤りを検出すると、誤りフレーム（ここではフレーム０，２）の再送を要求する部分ページ要求(Partial Page Request: ＰＰＲ)信号を送信機へ返信する。送信機は、受信機からのＰＰＲ信号を受信すると、再送要求のあったフレームを受信機へ再送信する（Ｓ２）。ここで、再送フレーム０に誤りが検出されたとすると、受信機は誤りフレームの再送を要求するＰＰＲ信号を送信機へ返信し、それを受けて送信機は再送要求のあったフレームを受信機へ再送信する（Ｓ３）。このように受信機は受信した再送フレームから誤りがなくなるまで、送信機へＰＰＲ信号の送信を繰り返す。
【０００４】
ただし、送信機が同一ブロックに対してＰＰＲ信号を４回受信すると、送信機は現在の回線品質に応じた送信プロフィール（変調方式、モデム速度）を選択し、訂正続行(Continue To Correct: ＣＴＣ)信号で受信機へ通知を行い、次の画情報から通知した変調方式、モデム速度で送信する。
【０００５】
このようなＥＣＭによるファクシミリ通信方式に関しては、これまでに様々な制御技術が提案がされている。たとえば特許文献１に開示されたファクシミリ通信方式は、全フレーム再送要求あるいは先頭フレームの再送要求が発生すると、送信機はＰＰＲ信号の４回受信を待たずにＣＴＣ信号を送信することで、適切な伝送速度への迅速な移行を図っている。
【先行技術文献】
【特許文献】
【０００６】
【特許文献１】特開平１０−３４１３２５号公報
【発明の概要】
【発明が解決しようとする課題】
【０００７】
上述したように、受信機は受信フレームから誤りがなくならない限りＰＰＲ信号を送信し、送信機がＰＰＲ信号を４回受信することで送信プロフィール（変調方式、モデム速度）の変更が行われる。言い換えれば、送信機がＰＰＲ信号を４回受信するする前に再送フレームの受信に成功した場合には、変調方式、モデム速度の変更は行われない。
【０００８】
しかしながら、受信フレームに誤りが検出されたということは、現在の変調方式、モデム速度では再度誤りが生じる可能性が高いことを意味する。誤ったフレームを検出する可能性の高い変調方式、モデム速度で通信を続行すると、フレームの再送手順が何回も繰り返され、通信時間が増大する可能性が高くなる。
【０００９】
さらに、ＥＣＭにおいて、ファクシミリメッセージのフレームから誤りを検出した場合、受信機のコーデック処理は誤りを検出したフレーム以降の処理を実行できない。このために、再送フレームの受信後に未処理のフレームが残ってしまい、受信機は次のファクシミリメッセージを受信する時にメモリビジー状態となってしまう場合がある。ファクシミリメッセージの受信ができないと、受信機は、送信機へ受信不可(Receiver Not Ready: ＲＮＲ)信号を送信し、次のファクシミリメッセージの送信待機を要求することができる。しかしながら、受信機がＲＮＲ信号を送信機へ送信した場合、送信機から受信可(Receiver Ready: ＲＲ)信号が送信されてくるが、このＲＲ信号に対して即座にＲＮＲ信号を送信すると、ＲＲ信号の受信とＲＮＲ信号の送信とが繰り返してファクシミリメッセージを転送あるいは処理できない状態となり、最終的にＴ５(６０ｓ±５ｓ)が経過してタイムアウトとなり回線が切断させる可能性がある。
【００１０】
そこで、本発明の目的は、ファクシミリメッセージのフレームにできるだけ誤りが生じないように通信回線の品質に応じて送信プロフィールを変更することができる新たな通信制御方法およびファクシミリ装置を提供することにある。
【課題を解決するための手段】
【００１１】
本発明によるファクシミリ装置は、予め規定された誤り訂正モードで動作するファクシミリ装置であって、受信ファクシミリメッセージに誤りフレームが検出されるか否かに従って再トレーニング要求を動作させるか否かを判定する判定手段と、前記再トレーニング要求が動作中であれば、再送されたフレームの誤りの有無に関係なく、送信プロフィールの変更を示す訂正続行（ＣＴＣ）信号を受信するまで部分ページ要求（ＰＰＲ）信号を送信側へ返信する通信制御手段と、を有することを特徴とする。
【００１２】
本発明による通信制御方法は、予め規定された誤り訂正モードで動作するファクシミリ装置における通信制御方法であって、判定手段が受信ファクシミリメッセージに誤りフレームが検出されるか否かに従って再トレーニング要求を動作させるか否かを判定し、通信制御手段が、前記再トレーニング要求が動作中であれば、再送されたフレームの誤りの有無に関係なく、送信プロフィールの変更を示す訂正続行（ＣＴＣ）信号を受信するまで部分ページ要求（ＰＰＲ）信号を送信側へ返信する、ことを特徴とする。
【発明の効果】
【００１３】
本発明によれば、ファクシミリメッセージのフレームにできるだけ誤りが生じないように通信回線の品質に応じて送信プロフィールを変更することができる。
【図面の簡単な説明】
【００１４】
【図１】図１は背景技術を説明するためのファクシミリ通信手順を示すシーケンス図である。
【図２】図２は本発明の一実施形態によるファクシミリ通信制御手順の一例を示すシーケンス図である。
【図３】図３は本実施形態によるファクシミリ装置の機能的構成を示すブロック図である。
【図４】図４は本発明の第１実施例による通信制御方法を示すフローチャートである。
【図５】図５は本発明の第２実施例による通信制御方法を示すフローチャートである。
【発明を実施するための形態】
【００１５】
本発明によれば、受信機が受信したファクシミリメッセージから一つでもフレームの誤りを検出した場合、受信機は、その後の再送フレームの誤り有無に関わらず、送信機に送信プロフィール（変調方式および／またはモデム速度）を変更させる規定の回数だけＰＰＲ信号を送信する動作を所定条件の下で起動させる。たとえばＩＴＵ−Ｔ勧告Ｔ．３０における誤り訂正方式の場合、ファクシミリメッセージにて誤りを検出すると、受信機は、その後再送されたフレームを正常に受信したとしても、送信機へＰＰＲ信号を４回送信することで再トレーニングを要求する。これによって、受信機は、送信機に対して通信品質がより向上する送信プロフィールを選択させることができる。
【００１６】
また、受信機側でのメモリビジー状態が解決しなくなる事態を回避するために、本発明によれば、受信機がメモリビジー状態となった場合、ＲＮＲ信号の送信タイミングをＴ４(３ｓ±１５％)未満だけで遅らせることで、ファクシミリメッセージの処理時間を作ってメモリビジー状態を解決する。
【００１７】
以下、ＩＴＵ−Ｔ勧告Ｔ．３０の誤り訂正方式ＥＣＭにおける本発明の実施形態および実施例について詳細に説明する。
【００１８】
１．通信制御シーケンス
図２に示すように、送信側ファクシミリ装置（以下、「送信機」と略記する。）１０ａから受信側ファクシミリ装置（以下、「受信機」と略記する。）１０ｂへファクシミリメッセージが送信される（ステップＳ１１）。受信機１０ｂは、受信ファクシミリメッセージのフレームから誤りを検出すると、誤りフレーム（ここではフレーム０，２）の再送を要求するＰＰＲ信号を送信機１０ａへ返信する（ステップＳ１２）。同時に、この段階で受信機１０ｂは再トレーニング要求プロセスを起動させるか否かを決定することができる。
【００１９】
送信機１０ａは、受信機からのＰＰＲ信号を受信すると、再送要求のあったフレームを受信機へ再送信する（ステップＳ１３）。この再送フレームにも誤りが検出されと、受信機１０ｂは、当該誤りフレームの再送を要求するＰＰＲ信号を送信機１０ａへ返信する（ステップＳ１４）。この段階で受信機１０ｂは再トレーニング要求プロセスを起動させるか否かを決定することもできる。
【００２０】
いずれにしても、受信機１０ｂが再トレーニング要求プロセスを起動させると、それ以後の再送フレームに誤りがない場合であっても、受信機１０ｂは１つのフレームを誤りとみなしたＰＰＲ信号を送信機１０ａへ返信する。すなわち、送信機１０ａは、受信機からのＰＰＲ信号を受信すると、再送要求のあったフレームを受信機へ再送信する（ステップＳ１５）。この再送フレームに誤りがなかったとしても、受信機１０ｂは、誤りフレームとして再送を要求するＰＰＲ信号を送信機１０ａへ返信する（ステップＳ１６）。送信機１０ａは、受信機からのＰＰＲ信号を受信すると、再送要求のあったフレームを受信機へ再送信する（ステップＳ１７）。この再送フレームに誤りがなかったとしても、受信機１０ｂは、誤りフレームとして再送を要求するＰＰＲ信号を送信機１０ａへ返信する（ステップＳ１８）。
【００２１】
こうして、送信機１０ａは、同一ブロックに対してＰＰＲ信号をＥＣＭで規定された回数（４回）受信すると、現在の回線品質に応じた送信プロフィールを選択し、ＣＴＣ信号で受信機１０ｂへ通知を行い（ステップＳ１９）、これに対して受信機１０ｂが応答ＣＴＲを送信機１０ａへ返すことで、次の画情報から新たな送信プロフィールで送信が行われる。
【００２２】
２．ファクシミリ装置
上述した送信機１０ａはＥＣＭ機能を持っていればよいので、以下、上述した受信機１０ｂの通信制御を可能にするファクシミリ装置について説明する。
【００２３】
図３に示すように、本実施形態によるファクシミリ装置は公衆交換電話網（ＰＳＴＮ）回線２０を通してネットワークの交換機３０と接続され、他のファクシミリ装置との間でファクシミリ通信が可能である。
【００２４】
ファクシミリ装置１０は制御部１０１とユーザインタフェース（ＵＩ）制御部１０２とを有し、制御部１０１が全ての装置動作を制御し、ＵＩ制御部１０２がユーザの指定に従って本実施形態による動作の条件設定や機能の有効または無効の設定を制御する。記憶部１０３には、設定された動作条件やＰＰＲに関する各種情報等が記憶される。通信制御部１０４は、ファクシミリ通信プロトコルの制御や誤りフレームの再送制御を行い、信号解析部１０５は受信した相手信号を解析し、次の手順信号を決定する。モデム１０６は、制御部１０１の制御の下で通信制御部１０４によりモデム速度等の送信プロフィールの設定が行われ、設定された送信プロフィールでファクシミリ信号の変調／復調を実行する。ＮＣＵ(Network Control Unit)１０７はファクシミリ装置１０をＰＳＴＮ回線２０を通して交換機３０と接続するための制御機器である。なお、画像処理部１０８は、制御部１０１の制御の下で送信画像データの符号化や受信画像データの復号化といったコーデック処理を行う。
【００２５】
次にファクシミリ装置１０の基本的動作について説明する。
【００２６】
まず、交換機３０からＰＳＴＮ回線２０を通してＮＣＵ１０７が信号を受信すると、受信信号はモデム１０６によりデジタル信号に変換され通信制御部１０４に転送される。通信制御部１０４は入力したデジタル信号を信号解析部１０５に送り、信号解析部１０５が信号の内容を解析する。信号解析部１０５で解析したファクシミリメッセージから誤りが検出されなかった場合には、通信制御部１０４は制御部１０１を通して画像処理部１０８へファクシミリメッセージを送り、画像処理部１０８はファクシミリメッセージを復号化する。
【００２７】
信号解析部１０５で解析したファクシミリメッセージから誤りが検出された場合には、通信制御部１０４は当該ファクシミリメッセージを画像処理部１０８へ送らずに蓄積すると共に、次に述べる第１実施例あるいは第２実施例による通信制御手順を実行する。以下、図４、図５を参照しながら本発明の実施例について詳細に説明する。
【００２８】
３．通信制御（第１実施例）
図４において、まず、通信制御部１０４は、上述した再トレーニング要求のプロセス中でるか否かを示す動作フラグをＯＦＦにして（ステップ２０１）、信号解析部１０５からの解析結果から受信ファクシミリメッセージがＣＴＣ信号であるか否かを判定する（ステップ２０２）。ＣＴＣ信号でなければ（ステップ２０２のＮＯ）、ファクシミリメッセージから１つでも誤りフレームが検出された否かを判定する（ステップ２０３）。
【００２９】
ファクシミリメッセージから誤りフレームが検出されると（ステップ２０３のＹＥＳ）、通信制御部１０４は動作フラグをＯＮにセットし（ステップ２０４）、モデム１０６およびＮＣＵ１０７を制御してＰＰＲ信号を送信元のファクシミリ装置（１０ａ）へ返信することで誤りフレームの再送信を要求する（ステップ２０５）。その後、ステップ２０２へ戻って当該誤りフレームの再送信を待つ。
【００３０】
再送フレームを受信すると（ステップ２０２のＮＯ）、その中に誤りフレームが検出された否かを判定し（ステップ２０３）、再送フレームから誤りフレームが検出された場合には（ステップ２０３のＹＥＳ）、正常なフレームを装置内に保存し、誤りフレームを特定したＰＰＲ信号を送信側へ返信する（ステップ２０５）。
【００３１】
再送フレームから誤りフレームが検出されなかった場合には（ステップ２０３のＮＯ）、通信制御部１０４は、再送されたフレームを装置内に保存し、続いて動作フラグがＯＮであるか否かを判定する（ステップ２０５）。上述したように、動作フラグがＯＮであることは再トレーニング要求動作中であることを示す。ここでは、ステップ２０４で動作フラグがＯＮに設定されているので、動作フラグはＯＮであり（ステップ２０６のＹＥＳ）、前回のステップ２０５と同じ誤りフレームを特定したＰＰＲ信号を送信側へ返信する（ステップ２０７）。続いて、通信制御部１０４はＣＴＣ信号を受信するまでステップ２０７を繰り返す（ステップ２０８のＮＯ）。こうしてＰＰＲ信号が合計４回送信されると、それに応答して送信側が新たな送信プロフィールを指定したＣＴＣ信号を送信する。このＣＴＣ信号を受信すると（ステップ２０８のＹＥＳ）、通信制御部１０４はＣＴＲ応答を返して（ステップ２０９）、ステップ２０１へ戻る。これにより次の画情報から新たな送信プロフィールで送信が行われる。
【００３２】
ステップ２０４を経ることなく誤りフレームが検出されなかった場合には（ステップ２０３のＮＯ）、動作フラグはＯＦＦのままであるから（ステップ２０６のＮＯ）、通信制御部１０４は受信可能かどうかを判定する（ステップ２１０）。具体的には、上述したように、メモリビジー状態であれば、次のファクシミリメッセージを受信できない。受信可能であれば（ステップ２１０のＹＥＳ）、通常のページ受信が行われ（ステップ２１１）、ステップ２０１へ戻る。受信不可であれば（ステップ２１０のＮＯ）、通信制御部１０４は、ＲＮＲ信号の送信タイミングをＴ４(３ｓ±１５％)未満で遅延させ（ステップ２１２）、ファクシミリメッセージの処理時間を作ってメモリビジー状態を解決し、それから送信側へＲＮＲ信号を送信して次のファクシミリメッセージの送信を待機することを要求する（ステップ２１３）。したがって、このＲＮＲ信号に対して送信側からＲＲ信号を受信しても、ＲＮＲ信号の送信タイミングをＴ４(３ｓ±１５％)未満で遅延させるので（ステップ２１２）、メモリビジー状態を解決することができる。
【００３３】
上述したように、ファクシミリメッセージやその後の再送フレームに誤りが検出されるならば、ステップ２０２〜２０５が繰り返され、ＰＰＲ信号が４回送信されると、それに応答して送信側からＣＴＣ信号を受信する（ステップ２０２のＹＥＳ）。また、誤りフレームが検出されなくとも、一度ステップ２０４で動作フラグがＯＮにセットされると、ＣＴＣ信号を受信するまでＰＰＲ信号が送信され続ける（ステップ２０７〜２０８）。こうして受信側のファクシミリ装置１０は、動作フラグがＯＮであれば、誤りフレームの有無に関係なくＰＰＲ信号を規定回数送信し、送信側に送信プロフィールの変更を要求することができる。
【００３４】
以上説明したように、本実施例においては、ファクシミリメッセージから誤りを検出した場合に、受信側が送信側へ再トレーニングを要求し、送信側に回線劣化に伴う回線品質に応じた変調方式、モデム速度を選択させることができ、通信品質の優れた高い信頼性を持つファクシミリ装置を提供できる。また、ＲＮＲ信号の送信タイミングを遅延させることで、コーデック処理の処理時間を増やし、メモリビジー状態を解決してからＲＮＲ信号を送信することができ、回線切断などの事態を回避できる。
【００３５】
４．通信制御（第２実施例）
上述した第１実施例では、図４に示すように、ファクシミリメッセージから誤りフレームが検出されると（ステップ２０３のＹＥＳ）、通信制御部１０４は動作フラグをＯＮにセットする（ステップ２０４）。これに対して、本発明の第２実施例では、基本的制御動作は同じであるが、上記の動作フラグをＯＮにする条件Ｃを設定する。無条件で動作フラグをＯＮにすると、誤りフレーム数が少ない場合に通信時間増加の原因となる可能性があるからである。本実施例では、条件Ｃを変更することで、通信環境に応じた通信時間の短縮を図ることが可能である。
【００３６】
図５に示すフローチャートおいて、上記図４と同じ処理ステップには同じ参照番号を付して説明は省略する。ファクシミリメッセージから誤りフレームを１つでも検出した場合（ステップ２０３のＹＥＳ）、動作条件Ｃを満たすかどうかを判定する（ステップ３０１）。条件Ｃを満たせば（ステップ３０１のＹＥＳ）、第１実施例と同様に動作フラグをＯＮにセットし（ステップ２０４）、ＰＰＲ信号を送信する（ステップ２０５）。条件Ｃを満たさない場合には（ステップ３０１のＮＯ）、動作フラグをＯＦＦのままに維持してＰＰＲ信号を送信する（ステップ２０５）。したがって、誤りフレームが検出されても（ステップ２０３のＹＥＳ）、条件Ｃによって動作フラグがＯＮされない場合があり、その場合には再送フレームで誤りが検出されなければ（ステップ２０３のＮＯ）、受信可能である限りページ受信が実行される（ステップ２１１）。
【００３７】
ステップ３０１の条件Ｃは、たとえば次のような式で与えられる。
【００３８】
条件Ｃ：Y≧1−(1−X)1/N  (0 ＜ N ≦ 256、0.0 ≦ X ≦ 1.0)
ここで、Ｙは現在の誤り率、ＸはＮ番目のフレームで誤りフレームを１フレーム以上検出する確率、Ｎはフレーム番号である。条件Ｃは「現在の誤り率Ｙが、Ｎ番目のフレームで誤りフレームを１フレーム以上検出する確率がＸとなる誤り率以上となるか？」を意味する。この条件Ｃにおいて、フレーム番号Ｎおよび確率ＸはＵＩ制御部１０２から設定し、現在の誤り率Ｙは受信したファクシミリメッセージの誤りフレーム数をブロックサイズで除することで算出できる。Ｎを大きくしＸを小さくすると、再トレーニング要求を行う（すなわち動作フラグをＯＮにする）割合が大きくなり、Ｎを小さくしＸを大きくすると再トレーニング要求を行う割合が小さくなる。また、Ｘ＝０とした場合、Ｎの値に関係なく、図４に示すフローチャートと同様の動作となり、Ｘ＝１とした場合、従来の動作手順となる。
【００３９】
この動作条件Ｃを満たすとき、動作フラグをＯＮにし、動作条件を満たさないとき動作フラグの状態を維持することで、誤りフレーム数に応じた動作切り替えが可能である。
【００４０】
このように、本発明の動作条件をＵＩ制御部１０５から指定することで、あらゆる通信環境に応じた変調方式、モデム速度を選択することができ、通信時間が短く誤りのない通信を提供することができる。
【産業上の利用可能性】
【００４１】
本発明はＩＴＵ−Ｔ各国Ｔ．３０におけるＥＣＭ機能を持ったファクシミリ装置からファクシミリメッセージを受信するファクシミリ装置に適用可能である。
【符号の説明】
【００４２】
１０  ファクシミリ装置
１０ａ  送信機（送信側ファクシミリ装置）
１０ｂ  受信機（受信側ファクシミリ装置）
２０  ＰＳＴＮ回線
３０  交換機
１０１  制御部
１０２  ＵＩ制御部
１０３  記憶部
１０４  通信制御部
１０５  信号解析部
１０６  モデム
１０７  ＮＣＵ
１０８  画像処理部
【図１】
2012205208.tif 000003
【図２】
2012205208.tif 000004
【図３】
2012205208.tif 000005
【図４】
2012205208.tif 000006
【図５】
2012205208.tif 000007